(57)【特許請求の範囲】
【請求項１】
器具本体の外縁部に設けられ、前記器具本体の内側に光を照射する主光源であるＬＥＤと、
前記主光源であるＬＥＤからの光を下方に反射する、傾斜した反射面を備える反射面部と、
前記反射面部に配置され、赤外線リモコンの信号を受信するリモコン受信部と、
を有し、
前記リモコン受信部は、下方に開口するケースを備え、前記ケースの開口を覆うようにカバーが設けられ、前記ケース内に、前記カバーを介して到来する前記赤外線リモコンの信号を受信する受光素子と、前記カバーを介して下方に光を照射する副光源である第２のＬＥＤと、が設けられ、かつ前記受光素子および前記副光源である第２のＬＥＤの周囲には、前記赤外線リモコンの信号および前記副光源のＬＥＤの光を反射する反射壁が設けられる照明器具。
【請求項２】
請求項１に記載の照明器具において、
前記カバーの下面が、前記反射面部の前記反射面よりも下方に突出する照明器具。
【請求項３】
請求項１に記載の照明器具において、
前記カバーの下面が、前記反射面部の前記反射面よりも下方に突出しない照明器具。
【請求項４】
請求項１に記載の照明器具において、
前記カバーの下面が前記反射面部の前記反射面よりも下方に突出する場合において、前記カバーの下面は、前記主光源であるＬＥＤからの光を反射して拡散させる照明器具。
【請求項５】
請求項４記載の照明器具において、
前記カバーは、乳白色の光透過性の材料、または、下面がシボ加工されている光透過性の材料で形成される照明器具。
【請求項６】
請求項１ないし請求項５のうちのいずれか１項に記載の照明器具において、
前記リモコン受信部の前記ケースにおける前記開口は、平面視における前記受光素子の占有面積よりも大きく、かつ前記受光素子の指向角を遮らない大きさである照明器具。
【発明の詳細な説明】
【技術分野】
【０００１】
本発明は、ＬＥＤ（発光ダイオード）を光源として用い、リモコンを用いて制御可能な照明器具に関するものである。
【背景技術】
【０００２】
従来より、ＬＥＤを光源に用い、リモコンにより配光を調整する照明器具が知られている（例えば、特許文献１参照）。
【先行技術文献】
【特許文献】
【０００３】
【特許文献１】特開２０１０−２３８４４９号公報（図２）
【発明の概要】
【発明が解決しようとする課題】
【０００４】
しかしながら、従来の照明器具においては、リモコン受信部を不透過部へ配置した場合、結果として不透過部の面積が大きくなり、外観意匠上問題があった。
【０００５】
本発明は、従来の問題を解決するためになされたもので、不透過部の面積を小さくして外観を改善できる照明器具を提供することを目的とする。
【課題を解決するための手段】
【０００６】
本発明の照明器具は、器具本体の外縁部に設けられ、前記器具本体の内側に光を照射する主光源であるＬＥＤと、前記主光源であるＬＥＤからの光を下方に反射する、傾斜した反射面を備える反射面部と、前記反射面部に配置され、赤外線リモコンの信号を受信するリモコン受信部と、を有し、前記リモコン受信部は、下方に開口するケースを備え、前記ケースの開口を覆うようにカバーが設けられ、前記ケース内に、前記カバーを介して到来する前記赤外線リモコンの信号を受信する受光素子と、前記カバーを介して下方に光を照射する副光源である第２のＬＥＤと、が設けられ、かつ前記受光素子および前記副光源である第２のＬＥＤの周囲には、前記赤外線リモコンの信号および前記副光源のＬＥＤの光を反射する反射壁が設けられるものである。
【０００７】
また、本発明の照明器具は、前記カバーの下面が、前記反射面部の前記反射面よりも下方に突出するものである。
【０００８】
また、本発明の照明器具は、前記カバーの下面が、前記反射面部の前記反射面よりも下方に突出しないものである。
【０００９】
また、本発明の照明器具は、前記カバーの下面が前記反射面部の前記反射面よりも下方に突出する場合において、前記カバーの下面は、前記主光源であるＬＥＤからの光を反射して拡散させるものである。
【００１０】
また、本発明の照明器具は、前記カバーは、乳白色の光透過性の材料、または、下面がシボ加工されている光透過性の材料で形成されるものである。
【００１１】
また、本発明の照明器具は、前記リモコン受信部の前記ケースにおける前記開口は、平面視における前記受光素子の占有面積よりも大きく、かつ前記受光素子の指向角を遮らない大きさであるものである。
【発明の効果】
【００１４】
本発明は、リモコン受信部が反射面部に配置されているので、不透過部にリモコン受信部を設けるスペースが不必要となる。これにより、不透過部を小さくすることができ、外観を改善できるという効果を有する照明器具を提供できる。
【図面の簡単な説明】
【００１５】
【図１】本発明に係る第１実施形態の照明器具を下方から見た全体斜視図
【図２】本発明に係る第１実施形態の照明器具を下方から見た分解斜視図
【図３】本発明に係る第１実施形態の照明器具の中心を通る断面図
【図４】（Ａ）は反射板を下方から見た底面図であり、（Ｂ）は（Ａ）中Ｂ−Ｂ位置の断面図であり、（Ｃ）は（Ａ）中Ｃ−Ｃ位置の断面図
【図５】（Ａ）はリモコン制御部における配置の一例を示す正面図であり、（Ｂ）は別の例を示す正面図
【図６】（Ａ）はリモコン受信部の断面図であり、（Ｂ）は（Ａ）中Ｂ方向から見た平面図
【図７】（Ａ）はリモコン受信部における赤外線センサと反射壁との高さ関係を示す断面図であり、（Ｂ）は受光面が高い赤外線センサを用いた場合の断面図
【図８】（Ａ）はリモコン受信部における第２のＬＥＤの光の照射光を示す断面図であり、（Ｂ）は（Ａ）中Ｂ方向から見た平面図
【図９】（Ａ）はリモコン制御部のカバーを反射板から突出しないように設けた場合の断面図であり、（Ｂ）はカバーが反射板から突出した場合の断面図
【図１０】本発明に係る第１実施形態の照明器具のパネルを外した状態を下方から見た全体斜視図
【図１１】（Ａ）は器具本体の中心を通ってロアーユニットのＬＥＤからの照射方向に沿って切断した断面図であり、（Ｂ）は（Ａ）中矢印Ｂ方向から見たパネルを外した状態の底面図
【図１２】（Ａ）は器具本体の中心を通ってロアーユニットのＬＥＤからの照射方向に沿って切断した断面図であり、（Ｂ）は（Ａ）中矢印Ｂ方向に見たパネルを外した状態の底面図
【図１３】図１２（Ａ）中ＸＩＩＩ部分の拡大図
【図１４】（Ａ）はフタの底面図であり、（Ｂ）は（Ａ）中Ｂ方向から見た側面図であり、（Ｃ）は（Ａ）中Ｃ方向から見た側面図
【図１５】図１２（Ｂ）中ＸＶ部分のフタを外した内部の拡大図
【図１６】（Ａ）はフタを開口部に嵌合させた状態を示す斜視図および断面図であり、（Ｂ）はフタを回転させて反射板に固定した状態を示す斜視図および断面図
【図１７】（Ａ）はフタを開口部に嵌合させた状態を示す底面図であり、（Ｂ）はフタを回転させて反射板に固定した状態を示す底面図
【図１８】本発明に係る第１実施形態の照明器具のパネルを外した状態を下方から見た全体斜視図
【図１９】器具本体の中心を通る断面図
【図２０】図１９中ＸＸ部分の拡大断面図
【図２１】（Ａ）は第１のパネル取付部の斜視図であり、（Ｂ）は（Ａ）中Ｂ方向から見た側面図であり、（Ｃ）は（Ａ）中Ｃ方向から見た平面図
【図２２】（Ａ）は第２のパネル取付部のレバーを開けた状態を示す斜視図であり、（Ｂ）はレバーを閉じた状態を示す斜視図
【図２３】（Ａ）はレバー部材の斜視図であり、（Ｂ）は（Ａ）中Ｂ方向から見た平面図であり、（Ｃ）は（Ｂ）中Ｃ方向から見た側面図であり、（Ｄ）は（Ｃ）中Ｄ方向から見た側面図
【図２４】（Ａ）はパネルを器具本体に仮固定した状態の斜視図であり、（Ｂ）はパネルを閉じて固定前の状態の斜視図であり、（Ｃ）はパネルを固定した状態の斜視図
【図２５】本発明に係る第２実施形態の照明器具のパネルを外した状態を下方から見た斜視図
【図２６】（Ａ）は図２５中ＸＸＶＩ−ＸＸＶＩ位置の断面図であり、（Ｂ）は（Ａ）中Ｂ部分の拡大図
【図２７】（Ａ）は本発明の第２実施形態に係る照明器具を下方から見た底面図であり、（Ｂ）はＬＥＤがパネルに映る状態を示す底面図であり、（Ｃ）は常夜灯が映る状態を示す底面図
【図２８】（Ａ）ないし（Ｃ）は、リモコンカバーの形状の例を示す断面図
【図２９】（Ａ）は反射板の変形例が取り付けられた器具本体の断面図であり、（Ｂ）はリモコン制御部を反射板の中央部に設けた場合を下方から見た斜視図であり、（Ｃ）はリモコン制御部を反射板の中央部以外に設けた場合を下方から見た斜視図
【発明を実施するための形態】
【００１６】
（第１実施形態）
以下、本発明に係る第１実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方，下側等）は床面側を意味する。
【００１７】
図１に示すように、本発明に係る第１実施形態の照明器具１０は、被取付面である天井面１１等に取り付けられて主に下方を照明するのに適する。
図２および図３に示すように、照明器具１０は、天井面１１に取り付けられている引っ掛けシーリング１２に取り付けるための取付金具２１を中央に有する例えば正方形の板状の器具本体２０を有する。
【００１８】
図３に示すように、器具本体２０の上側（すなわち、天井面１１側）には、主光源である複数のＬＥＤ３０１が実装されたアッパーユニット３０、上枠３２および上パネル３１が設けられている。
また、器具本体２０の照明方向である下側には、主光源である複数のＬＥＤ４０１が実装されたロアーユニット４０、反射面部である反射板６０が設けられており、反射板６０の下方には、受けた光を拡散する透光性のパネル５０が取り付けられる。
なお、「照明方向」とは、照明器具１０が照明する方向を指す。
【００１９】
図３に示すように、アッパーユニット３０は、四方外向きに照射するように器具本体２０の上側に取り付けられる。
ここでは、矩形の器具本体２０の各辺に沿って、例えば１個のアッパーユニット３０がそれぞれ設けられているが、数は限定するものではない。
器具本体２０におけるアッパーユニット３０の照射方向前方である器具本体２０の上面は、反射率の高い塗装、例えば白塗装もしくは鏡面仕上げを施すのが望ましい。
なお、「照射方向」とは、ＬＥＤ３０１，４０１あるいはアッパーユニット３０、ロアーユニット４０が光を照射する方向をいう。従って、照明器具１０の「照明方向」とは、必ずしも一致しない。
【００２０】
また、図４（Ａ）〜（Ｃ）にも示すように、器具本体２０の下側には、ロアーユニット４０が、器具本体２０の内側向きに照射するように取り付けられる。
ここでは、器具本体２０の対向する２辺に沿って、例えば２個のロアーユニット４０がそれぞれ設けられているが、数は限定するものではない。
なお、器具本体２０には、ロアーユニット４０が設けられていない一対の対向する辺に沿って、各々一対の取付用開口部２５が設けられている（図２参照）。
【００２１】
図２および図３に示すように、器具本体２０の下方（図３において下方）には、器具本体２０より一回り小さい反射板６０が、取り付けられている。
反射板６０は全体矩形状をしており、下方に尖った山型形状あるいは略四角錐形状を呈している。反射板６０においてロアーユニット４０が設けられていない一対の対向する辺に沿って、各々一対の取付用開口部６０１が設けられている。
反射板６０は、器具本体２０の外縁部に取り付けられているロアーユニット４０の内側に取り付けられており、反射面である下面６０２は、光を反射するように、白色塗装あるいは鏡面仕上げが施されている。反射率は９０％以上とする。
従って、ロアーユニット４０は、反射板６０の外側から反射板６０の下面に向かって光を照射し、反射板６０の下面６０２で反射した光は下方へ照射される。
【００２２】
図２および図３に示したように、ロアーユニット４０の下方には、パネル５０が着脱可能に取り付けられる。パネル５０は、照射された光を拡散するものであり、複数箇所に、光透過率が低いパネルカバー５１を設けられている。
パネルカバー５１は、例えば、パネル５０において器具本体２０の中心に対して対称な端部付近の対向する２辺に沿って設けられている。また、パネルカバー５１は、ロアーユニット４０が設けられている位置に対応して設けられている。
【００２３】
パネル５０は、山型形状の反射板６０との間隔が略一定になるように、反射板６０の下面６０２に対応して湾曲している。例えば、図１９に示すように、反射板６０の角度βが１６９度の場合には、パネル５０は半径Ｒ＝３６００ｍｍ程度で湾曲させることができる。
このようにパネル５０を湾曲させることにより、パネル５０の強度を上げることができる。また、反射板６０との距離を略一定とすることにより、反射板６０で反射した光をパネル５０に照射して、パネル５０を均一に発光させることができる。
【００２４】
図４（Ａ），（Ｂ）に示すように、反射板６０と器具本体２０との間には、赤外線リモコン信号を受信して、ロアーユニット４０およびアッパーユニット３０を制御し、配光状態を調整するためのリモコン制御部７０が設けられている。
リモコン制御部７０は矩形箱状のリモコン制御部ケース７１を有しており、リモコン制御部ケース７１は器具本体２０に取り付けられて下面７１１が反射板６０の下面６０２から下方に露出する。
【００２５】
図５（Ａ）に示すように、リモコン制御部７０では、リモコン制御部ケース７１の内部には、赤外線リモコンの信号を受信するリモコン受信部用の開口部７７が設けられており、開口部７７の内部には受光素子である赤外線センサ７２が設けられている。
図６（Ａ），（Ｂ）に示すように、開口部７７は赤外線センサ７２より広い範囲であり、赤外線センサ７２の少なくとも一方の指向角を遮らない大きさに設定する。
また、図７（Ａ），（Ｂ）に示すように、赤外線センサ７２の周囲には、赤外線リモコン信号ＲＳを反射する反射壁７７１が、赤外線センサ７２の受光面７２１以上の高さで設けられている。これにより、赤外線リモコン信号ＲＳは、反射壁７７１に当たって反射し、赤外線センサ７２に受光される場合もある。なお、図７（Ａ），（Ｂ）に示すように、受光面７２１が高い赤外線センサ７２Ｂにも対応できるようにしておくのが望ましい。
【００２６】
また、リモコン制御部ケース７１における赤外線センサ７２の近傍には、副光源である第２のＬＥＤ７３が設けられている。ここでは、例えば３個の第２のＬＥＤ７３が設けられている。
あるいは、図５（Ｂ）に示すリモコン制御部７０Ｂのように、赤外線センサ７２の周囲に第２のＬＥＤ７３を配置することもできる。
また、図８（Ａ），（Ｂ）に示すように、反射壁７７１が、第２のＬＥＤ７３の光を反射するように設定した。このため、第２のＬＥＤ７３から発せられた光で、側方へ照射されたものは反射壁７７１で反射して、照明方向へ出射される。
【００２７】
赤外線センサ７２および第２のＬＥＤ７３の照射方向前方には、カバー７４が設けられている。カバー７４は、リモコン制御部ケース７１の下面７１１に、着脱可能あるいは開閉可能に設けられており、反射板６０の反射面である下面６０２に露出する。
カバー７４は、赤外線リモコン信号を透過するとともに、第２のＬＥＤ７３の光を透過する。
【００２８】
リモコン制御部ケース７１には、照明方向前方に開口する凹部７１２が設けられている。凹部７１２の内部には、ＯＮ／ＯＦＦスイッチ７１３、音入切スイッチ７１４、チャンネルつまみ７１５等の各種スイッチが設けられている。これらＯＮ／ＯＦＦスイッチ７１３、音入切スイッチ７１４、チャンネルつまみ７１５は、いずれもリモコン制御部ケース７１の下面７１１から下方に突出しない。
なお、凹部７１２を覆う蓋部材を着脱可能あるいは開閉可能に設けることもできる。この場合には、蓋部材は、透光性である必要はなく、光を反射するものが望ましい。
【００２９】
図９（Ａ）に示すように、カバー７４は、外装面である下面７４１が反射板６０の下面６０２から少なくとも赤外線センサ７２の赤外線受信方向である照明方向前方に突出しないものが望ましい。
あるいは、カバー７４を、例えば、乳白色や表面（下面）をシボ加工した半透明の樹脂で形成して、カバー７４の下面７４１がロアーユニット４０からの光の少なくとも一部を反射するように構成する。この場合には、図９（Ｂ）に示すように、カバー７４が反射板６０の下面６０２から照明方向前方に突出して設けることも可能である。
【００３０】
図１０に示すように、凹部７１２は、ロアーユニット４０の光の照射方向に沿って短辺を設け（幅Ｗ）、光の照射方向と直交する方向に長手を設けた（長さＬ）。すなわち、長手方向をロアーユニット４０と平行に配置して、光が凹部７１２に落ち込む面積を狭くする。また、幅Ｗは、大人の男性の指が容易に入るように設定する。
図１１（Ａ），（Ｂ）に示すように、ロアーユニット４０のＬＥＤ４０１からの光は、反射板６０の稜線６０３に焦点がくるようにする（焦点範囲ＦＲ）。従って、凹部７１２は、焦点よりも光源であるＬＥＤ４０１側に位置する。また、凹部７１２を、ＬＥＤ４０１よりも高い位置（すなわち、天井面１１側）に配置して、直接光が凹部７１２に落ち込まないようになっている。
【００３１】
従って、図１１（Ａ）に示すように、例えば反射板６０の傾斜角度θが５．５度で、パネル５０の内面と反射板６０の頂点との間の高さＨが２８ｍｍの場合、凹部７１２の長さＬ×幅Ｗは、５１ｍｍ×２４ｍｍ程度とすることができる。
なお、凹部７１２の色は、反射板６０と同系色とするのが望ましい。これにより、凹部７１２自身の色がパネル５０に映るのを防止できる。
【００３２】
以上のように構成した照明器具１０では、リモコン送信装置（図示省略）から発せられた赤外線リモコン信号を、赤外線センサ７２が受信する。そして、受信した信号に基づいて、リモコン制御部７０がアッパーユニット３０のＬＥＤ３０１およびロアーユニット４０のＬＥＤ４０１を制御して所望の配光状態に調整する。
すなわち、アッパーユニット３０から照明器具１０の外側へ発せられた光は、天井面１１や壁面（図示省略）を照明する。また、ロアーユニット４０から内側へ発せられた光は、反射板６０で下方へ反射して、パネル５０に入射し、パネル５０を発光させる。
あるいは、赤外線リモコン信号に基づいて、第２のＬＥＤ７３の点灯や消灯を制御する。
【００３３】
以上、説明した本発明に係る実施形態の照明器具１０によれば、赤外線リモコン信号を赤外線センサ７２が受信し、主光源であるＬＥＤ３０１、４０１から発せられる光を調整して、反射板６０で下方へ反射して照明する。
このとき、赤外線センサ７２が反射板６０に配置されているので、不透過部であるパネルカバー５１等に赤外線センサ７２を設けるスペースが不必要となる。これにより、不透過部を小さくすることができ、外観を改善できる。
【００３４】
また、赤外線センサ７２の赤外線受信方向に設けられているカバー７４が、反射板６０から少なくとも照明方向前方へ突出しないようにするのが望ましい。
これにより、カバー７４がロアーユニット４０からの光を遮るのを防止でき、影が少なく、輝度ムラが少ない照明を行うことができる。
【００３５】
また、赤外線センサ７２の赤外線受信方向に設けられているカバー７４の下面７４１を、ロアーユニット４０からの光を反射させるようにすることが望ましい。
これにより、カバー７４が反射板６０から多少突出している場合でも、影が少なく、輝度ムラが少ない照明を行うことができる。
【００３６】
また、副光源である第２のＬＥＤ７３は、赤外線を発生しないため、赤外線センサ７２の誤作動を発生させることがない。このため、赤外線センサ７２の近傍に設けることができる。
また、カバー７４は、赤外線センサ７２および第２のＬＥＤ７３の前方に設けられており、赤外線センサ７２と第２のＬＥＤ７３とは同じ場所に収容されるので、赤外線センサ７２および第２のＬＥＤ７３のための開口が大きくなる。
このため、赤外線センサ７２の感度を向上させることができる。
【００３７】
赤外線センサ７２の開口部７７を、受光素子７２１より広い範囲としたので、受光素子７２１の指向角を遮らない。
【００３８】
赤外線センサ７２の周囲に赤外線センサ７２の受光面７２１以上の高さの反射壁７７１が配置されているので、赤外線リモコン信号ＲＳを反射させて受信することができ、効率よく赤外線リモコン信号ＲＳを受信できる。
【００３９】
反射壁７７１が、赤外線リモコン信号ＲＳおよび第２のＬＥＤ７３の光を反射するので、効率よく赤外線リモコン信号ＲＳを受信できるとともに、第２のＬＥＤ７３の光を効率よく照射できる。
【００４０】
図２および図１２（Ａ），（Ｂ）に示すように、反射板６０の中央には、器具本体２０に取り付けられている取付金具２１を、天井面１１の引っ掛けシーリング１２に取り付けるための開口部６１が設けられている。すなわち、開口部６１は、取付金具２１の外径よりも大きな内径を有する円形を呈している。
【００４１】
図１５および図１６（Ａ），（Ｂ）に示すように、開口部６１の内側（上側）外周縁部には、後述するフタ６２を係止するための係止部６３が開口部６１の中心に対して対称位置に２カ所設けられている。係止部６３は、幅広の挿入開口６３１と、挿入開口６３１に続き幅狭の係止開口６３２を有し、全体として、開口部６１の中心回りに円弧状となっている。
なお、挿入開口６３１は、稜線６０３から角度αだけ図１５中、反時計方向にずれて設けられる。
【００４２】
挿入開口６３１は上下方向に大きく（高さＨＡ１、図１６（Ａ）参照）設定されており、フタ６２の爪部６２５を収容する空間が大きくなっている。また、係止開口６３２は上下方向に小さく（高さＨＡ２、図１６（Ｂ）参照）設定されており、フタ６２の爪部６２５を収容する空間が小さくなっている。すなわち、ＨＡ１＞ＨＡ２となっており、取付け後にフタ６２が係止開口６３２でガタつくのを防止している。
また、係止開口６３２の挿入開口６３１側端部には、フタ６２の上面（裏面）６２４側に僅かに突出するリブ６３３を設けるのが望ましい。
【００４３】
図１３および図１４（Ａ），（Ｂ）に示すように、フタ６２は、その外面である下面６２１が、反射板６０の外面である下面６０２に沿うように形成されている。ここでは、反射板６０は、対向する器具本体２０の縁端部に設けられているロアーユニット４０、４０の間の中央部が最も低い（下向きにもっとも高い）稜線６０３を有し（図１１（Ａ）参照）、左右のロアーユニット４０に向かって高く（下向きに低く）なる山型形状をしている。
従って、フタ６２の下面６２１は、フタ６２の中心に、装着時に反射板６０の稜線６０３と略一直線を形成する稜線６２２を有する。さらに、下面６２１は、装着時には反射板６０の下面６０２と略同様な山型形状を構成するように、稜線６２２から外周部に向かって厚みが減少するように傾斜面が設けられている。
なお、フタ６２の外面である下面６２１は、反射板６０の下面６０２と同系色であるのが望ましい。
【００４４】
図１４（Ａ）に示すように、フタ６２の外周部には、例えば半円形状の指掛かり部６２３が設けられている。指掛かり部６２３はロアーユニット４０に対して対向した位置、すなわち装着時においてロアーユニット４０側に位置し、稜線６２２から最も遠い位置に設けられる。なお、指掛かり部６２３は、片側（１個）のみでも可能である。
【００４５】
図１４（Ｂ）に示すように、フタ６２の裏面である上面６２４には、下面６２１の稜線６２２に対応する箇所に、反射板６０に係止される一対の爪部６２５、６２５が設けられる。爪部６２５は、フタ６２の中心側に屈曲したＬ字形状とすることができる。
【００４６】
また、図１２（Ａ），（Ｂ）および図１４（Ａ）に示すように、反射板６０の下面６０２及びフタ６２の下面６２１には、装着状態において、反射板６０の稜線６０３からずれた位置に、装着位置を示す表示部６０４、６２６を有するものである。
ここでは、フタ６２には三角形状の表示部（以後、「目印６２６」という。）を、稜線６２２から時針方向に角度αだけずらして設け、反射板６０では、稜線６０３を表示部６０４として利用している。従って、反射板６０には、表示部を別途設けない。
【００４７】
従って、反射板６０の開口部６１にフタ６２を装着する際には、図１７（Ａ）に示すように、フタ６２の一対の目印６２６を反射板６０の表示部６０４である稜線６０３に各々合わせて、フタ６２を開口部６１に嵌合させる。これにより、フタ６２の爪部６２５は、反射板６０の係止部６３の挿入開口６３１に挿入される。
そして、フタ６２の指掛かり６２３に指を掛けて、フタ６２を時針方向（図１７（Ａ）中矢印Ａ）へ回転させる。これにより、フタ６２の爪部６２５は反射板６０の係止部６３のリブ６３３を乗り越えて回転するので、装着時のクリック感が得られ、確実に装着することができる。
装着完了後は、図１７（Ｂ）に示すように、フタ６２の一対の指掛かり６２３、６２３を結ぶ線が反射板６０の稜線６０３と直交する。そして、フタ６２の稜線６２２と反射板６０の稜線６０３とが一直線となって固定される。
【００４８】
以上、説明した本発明に係る第１実施形態の照明器具１０によれば、対向した位置に配置された一対のロアーユニット４０、４０により、器具本体２０の内側方向に照射された光は、器具本体２０内部に収容されている反射板６０に照射される。反射板６０は、照射口（照明方向）に向かって凸または凹形状または平坦となっているので、反射板６０に照射された光は、照明方向に向かって反射し、前方を照明する。
反射板６０には開口部６１が設けられており、この開口部６１にはフタ６２が着脱可能に設けられている。フタ６２は、その下面６０２が反射板６０の下面６０２に沿うように形成されているので、色ムラを減少して反射板６０本来の機能を果たすことができるとともに、不完全装着を容易に発見できるので、取付けミス等の異常が分かり易い。
また、フタ６２は、反射板６０の開口部６１に回転装着されるので、装着時のフタ６２の高さを反射板６０の高さを同じにできる。このため、傾斜天井に取り付けたり、何らかの理由で通常の取付け角度と異なる取付け状態の場合でも、フタ６２が反射板６０から凹むことがなく、通常取付時と同様の配光ができる。また、フタ６２には凹状の指掛かり６２３が設けられているので、フタ６２を容易に回転させることができ、容易に着脱できる。さらに、指掛かり６２３を凹状とすることで、レバー等の突起を設ける必要がなく、光の輝度ムラとなる原因を回避することができる。
【００４９】
また、フタ６２の指掛かり６２３は、フタ６２を装着した状態で、ロアーユニット４０に対して対向した位置にあるので、指掛かり６２３にはロアーユニット４０からの光が近い位置で照射される。このため、ロアーユニット４０からの光が強く、凹状の指掛かり６２３によって遮光される輝度ムラを減少させることができる。
また、指掛かり６２３がフタ６２の外周において遠い位置（直径の両端位置）にあるので、フタ６２を容易に回転させることができる。
【００５０】
また、稜線６２２に対応する箇所に反射板６０に係止される爪部６２５を設けたので、指掛かり６２３とは異なる位置に爪部６２５を設けることになる。このため、爪部６２５の形状が制限されず、形状の自由度が増すとともに、爪部６２５を設けやすい。
また、フタ６２を不完全に装着した際には、反射板６０の稜線６０３がフタ６２において一直線に通らないので、容易に不完全装着を発見できる。
【００５１】
また、反射板６０及びフタ６２に、装着状態において、反射板６０の稜線６０３からずれた位置に装着位置を示す目印６２６を設けたので、装着時に、反射板６０とフタ６２の表示部６０４、６２６を合わせることで、容易に位置合わせを行うことができる。これにより、フタ６２を反射板６０に容易に取り付けることができる。
また、凹部に目印６２６を設けることによる光のムラを回避できる。
【００５２】
さらに、フタ６２の下面６２１を、反射板６０の下面６０２と同系色にしたので、フタ６２における反射率を同レベルして、点灯時の色ムラを抑えることができる。
【００５３】
図１８に示すように、器具本体２０の対向する縁端部２０１、２０２には、パネル５０を取り付けるためのパネル取付部２２がそれぞれ設けられている。縁端部２０１には、パネル取付部２２として、パネル５０における対向する縁端部のうちの一方の縁端部を仮固定する第１のパネル取付部２３が設けられている。一方、縁端部２０２には、パネル取付部２２として、他方の縁端部を着脱可能に取り付ける第２のパネル取付部２４が設けられている。
【００５４】
また、図２０に示すように、器具本体２０における縁端部２０２でパネル取付部２２が設けられている領域には、人感センサや明るさセンサ等のセンサ７６を配設することができる。あるいは、前述した反射板６０に設けられたリモコン制御部７０に設けたリモコン受信部である赤外線センサ７２を配設することができる。
パネル取付部２２およびロアーユニット４０は、前述したパネル５０の端部に設けられて透過性の低いパネルカバー５１に覆われる。このため、パネルカバー５１には、センサ用孔５１１が設けられ、センサ用孔５１１の奥に赤外線センサ７２が設けられる。また、パネルカバー５１内面におけるロアーユニット４０の外側には、縦壁５１２が上方に向かって設けられており、ロアーユニット４０からの光が赤外線センサ７２に入って誤作動しないようにしている。
なお、ロアーユニット４０は、器具本体２０よりも平面寸法が小さな反射板６０とパネル取付部２２との間に配置されている。
【００５５】
図２１（Ａ）に示すように、第１のパネル取付部２３は、パネル５０に取り付けられている支持バネ５２を係止することにより、パネル５０を器具本体２０に仮固定および固定する。
支持バネ５２は、２本の支持部５２１を有して全体Ｖ字形状をしており、各支持部５２１は開く方向へ付勢される。また、支持部５２１の先端は円形に曲げられてストッパ５２２が設けられている。
【００５６】
第１のパネル取付部２３は、器具本体２０から下向きに取り付けられる全体コ字状のバネ係止部材２６を有する（図２１（Ｂ）参照）。バネ係止部材２６の上板２６１は、仮固定する際に器具本体２０に取り付けられる。上板２６１から下方へ直角に屈曲して縦板２６２が形成され、縦板２６２の下端部は器具本体２０に内側に向けて水平に屈曲して係止板２６３が形成される。係止板２６３には、先端が開口（開口部２６４）し、内部には開口部２６４よりも広い係止孔２６５が設けられている（図２１（Ｃ）参照）。
【００５７】
図２２（Ａ），（Ｂ）に示すように、第２のパネル取付部２４は、パネル５０を器具本体２０に固定するための固定側であるレバー部材２７を有する。
図２３（Ａ），（Ｂ）に示すように、レバー部材２７は、上端にレバー２７１を有し、レバー２７１の回転軸２７２には全体Ｚ字形状の回転部材２８が一体的に取り付けられている。回転部材２８は、レバー部材２７の回転軸２７２に取り付けられる取付板２８１と、取付板２８１から下方へ伸びる連結板２８２と、連結板２８２の下端から水平に折り曲げ形成された支持板２８３を有する。また、支持板２８３の先端は下向きに傾斜した傾斜面２８４が設けられている。
【００５８】
一方、図２２（Ａ），（Ｂ）に示すように、パネル５０の端部の縦壁５３には、パネル５０を器具本体２０に取り付けるための取付板５４が一体的に設けられている。取付板５４は全体コ字状をしており、上端に設けられてパネル５０の内側に屈曲している係止部５４のみが露出している。係止部５４は、低い位置にあるガイド部５４１と、高い位置にある係止部５４２とが連続して設けられている２段構造となっている。
【００５９】
従って、パネル５０を器具本体２０に仮固定する際には、まず、図２４（Ａ）に示すように、第１のパネル取付部２３において、パネル５０の支持バネ５２の一対の支持部５２１をつまんで細くし、バネ係止部材２６の開口部２６４から係止孔２６５へ挿入する。そして、支持バネ５２を放して付勢力により広げて係止孔２６５で係止して、パネル５０を完全装着時よりも低い位置で器具本体２０に仮固定する（図２１（Ａ）〜（Ｃ）参照）。
このとき、支持バネ５２のストッパ５２２が係止孔２６５に引っ掛かるので、パネル５０は落下しない。
【００６０】
次いで、図２４（Ｂ）に示すように、第１のパネル取付部２３で仮固定されているパネル５０を押し上げるとともに、パネル５０を支持バネ５２を回動軸として上方へ押し上げて閉じる。このときのレバー部材２７の状態は、図２２（Ａ）に示すように、レバー２７１を外向きに開いた状態でパネル５０を器具本体２０に押し付ける。このとき、パネル５０の取付板５４のガイド部５４１がレバー部材２７の支持板２８３に対向し、支持板２８３の先端の傾斜面２８４の先端が、ガイド部５４１よりも低い位置に位置する。
そして、図２４（Ｃ）に示すように、レバー２７１を回転させると（図２２（Ａ）中矢印Ａ参照）、レバー部材２７の傾斜面２８４が取付板５４のガイド部５４１の下方に潜り込む。さらにレバー２７１を回転させると、レバー部材２７の支持板２８３が、取付板５４の係止部５４２に至って、固定される。
【００６１】
以上、説明した本発明に係る第１実施形態の照明器具１０によれば、ロアーユニット４０を、器具本体２０の対向する縁端部に設けられたパネル取付部２２と、ロアーユニット４０からの光を照明方向に反射する反射板６０との間に配置したので、パネル取付部２２はロアーユニット４０の後方に位置する。このため、パネル取付部２２による影の発生を防止できる。
【００６２】
また、パネル５０は、器具本体２０の対向する縁端部に設けられた第１のパネル取付部２３により一方の縁端部が仮固定され、他方の縁端部が第２のパネル取付部２４により固定される。
第２のパネル取付部２４は固定側として回動可能なレバー部材２７を有するので、レバー部材２７の回動により容易にパネル５０を固定、あるいは解放できる。
【００６３】
器具本体２０内面におけるパネル取付部２２が設けられている領域に、センサ７２やリモコン受信部である赤外線センサ７２を配設したので、センサ７２や赤外線センサ７２による影の発生を防止できる。
【００６４】
（第２実施形態）
次に、本発明に係る第２実施形態の照明器具について、図面を用いて説明する。
なお、前述した第１実施形態にかかる照明器具と共通する部位には同じ符号を付して、重複する説明を省略することとする。
【００６５】
図２５および図２６（Ａ），（Ｂ）に示すように、本発明に係る第２実施形態の照明器具１０Ｂでは、リモコン受信部である赤外線センサ７２あるいは第２のＬＥＤ７３の照明方向前方（図２６（Ａ），（Ｂ）において下方）に設けられたカバー７４Ｂを、反射板６０から少なくとも赤外線受信方向に突出させた。
なお、カバー７４Ｂは、少なくとも下面７４１Ｂは乳白色に形成して反射板６０での光を拡散することにより、パネルへの光ムラを軽減する（図２７（Ａ）参照）。これにより、図２７（Ｂ）に示すように、第２のＬＥＤ７３がカバー７４に映ったり、図２７（Ｃ）に示すように、豆球の常夜灯のように光るのを回避して、外観を向上させる。
また、カバー７４Ｂは、乳白色やシボ加工しても赤外線の透過性に影響しない材料で形成する。
【００６６】
なお、カバー７４Ｂの形状としては、例えば、図２８（Ａ）に示すように、反射壁７７１の上端部から赤外線受信方向（図において上方）に突出したドーム状のカバー７４Ｂ２とすることができる。また、図２８（Ｃ）に示すように、反射壁７７１の高さ方向中間部から赤外線受信方向（図において上方）に突出したドーム状のカバー７４Ｂ３とすることもできる。あるいは、図２８（Ｂ）に示すように、反射壁７７１の上端部から赤外線受信方向（図において上方）に突出した平面状のカバー７４Ｂ４とすることも可能である。
【００６７】
また、赤外線センサ７２の照明方向前方に設けられたカバー７４を、反射面６０２から少なくとも赤外線受信方向に突出させた。
このため、反射面６０２と同じ高さとするよりも、カバー７４にロアーユニット４０からの光を照射させ、拡散させることができ、暗くなりやすいロアーユニット４０から遠い反射面６０２の中央付近において、パネル５０への光ムラを軽減できる。
また、カバー７４が受光部を兼ねているので、受光部専用の筒等を設ける必要がなく、カバー部の開口を設けるだけでリモコンの性能を確保できる。
【００６８】
なお、本発明の照明器具は、前述した実施形態に限定されるものでなく、適宜な変形，改良等が可能である。
例えば、前述した実施形態においては、反射板６０が山型形状あるいは角錐台形状に形成され、リモコン制御部７０を反射板６０の中央部に設けた場合を例示したが、本発明は、反射板がその他の形状の場合にも適用可能である。
図２９（Ａ）に示すように、反射板６０Ｂが階段状に形成されている場合にも、図２９（Ｂ）に示すように、リモコン制御部７０Ａを反射板６０Ｂの中央段に設けることができる。
また、図２９（Ｃ）に示すように、リモコン制御部７０Ｂを、反射板６０Ｂの中央段以外の段に設けることも可能である。
さらに、前述した実施形態においては、指掛かり６２３として凹状のものを例示したが、照射光が均一と見なされる範囲であれば、指掛かりを凸状とすることも可能である。
【符号の説明】
【００６９】
１０  照明器具
４０１  ＬＥＤ
６０  反射板（反射面部）
７２  赤外線センサ（受光素子）
７３  第２のＬＥＤ
７４  カバー
７４１  下面（外装面）
７７  開口部（リモコン受信部）
７７１  反射壁
【図１】
0005830676.tif 000002
【図２】
0005830676.tif 000003
【図３】
0005830676.tif 000004
【図４】
0005830676.tif 000005
【図５】
0005830676.tif 000006
【図６】
0005830676.tif 000007
【図７】
0005830676.tif 000008
【図８】
0005830676.tif 000009
【図９】
0005830676.tif 000010
【図１０】
0005830676.tif 000011
【図１１】
0005830676.tif 000012
【図１２】
0005830676.tif 000013
【図１３】
0005830676.tif 000014
【図１４】
0005830676.tif 000015
【図１５】
0005830676.tif 000016
【図１６】
0005830676.tif 000017
【図１７】
0005830676.tif 000018
【図１８】
0005830676.tif 000019
【図１９】
0005830676.tif 000020
【図２０】
0005830676.tif 000021
【図２１】
0005830676.tif 000022
【図２２】
0005830676.tif 000023
【図２３】
0005830676.tif 000024
【図２４】
0005830676.tif 000025
【図２５】
0005830676.tif 000026
【図２６】
0005830676.tif 000027
【図２７】
0005830676.tif 000028
【図２８】
0005830676.tif 000029
【図２９】
0005830676.tif 000030